(57)【要約】【課題】サポート部材に無理な力がかかってもサポート部材が分離せず、破壊もしない折りたたみ回転部を有するシート支持機構を提供する。【解決手段】第一サポート部材５１と第二サポート部材５２とが回動可能に組み付けられ、開いた状態でシートを支持可能であり、該シートを支持していないときは回動して折り畳み可能なシート支持機構において、第一サポート部材５１と第二サポート部材５２は一方のサポート部材に設けられた回転軸５３と、他方のサポート部材に設けられ、前記回転軸５３を嵌入可能な開口部５８を有する軸受５６とを嵌合することで回動可能に結合され、且つ回動可能なサポート部材を開く方向に所定量回動すると圧迫リブ５４が開閉リブ５７に当接してそれ以上の回動が規制され、それ以上開く方向へ回動すると前記開口部５８が狭まる方向に力が加えられるよう構成したことを特徴とする。【選択図】    図２
2004230622.tif 000002
【特許請求の範囲】
【請求項１】
第一サポート部材と第二サポート部材とが回動可能に組み付けられ、開いた状態でシートを支持可能であり、該シートを支持していないときは回動して折り畳み可能なシート支持機構において、
前記第一サポート部材と前記第二サポート部材は一方のサポート部材に設けられた回転軸と、他方のサポート部材に設けられ、前記回転軸を嵌入可能な開口部を有する軸受部とを嵌合することで回動可能に結合され、且つ回動可能なサポート部材を開く方向に所定量回動すると回転規制手段によりそれ以上の回動が規制され、それ以上開く方向へ回動すると前記開口部が狭まる方向に力が加えられるよう構成したことを特徴とするシート支持機構。
【発明の詳細な説明】
【０００１】
【発明の属する技術分野】
本発明は開いた状態でシートを支持可能であり、該シートを支持していないときは回動して折り畳み可能なシート支持機構に関する。
【０００２】
【従来の技術】
記録装置には一般に記録シートを保持するサポート部材がついているが、記録装置を使用していないときは張り出した部材が記録装置の設置面積を大きく取り、がさばっていた。近年それの改良として、サポート部材を折りたためるようにした記録装置も発売されている。折りたためるようにしたサポート部材の注意点として折りたたみ回転部の強度があり、サポート部材に無理な力がかかったとき破壊しない構造が必要だった。
【０００３】
図６は従来のサポート部材の一例である。図において、７０１は第一サポート部材、７０２は第二サポート部材で第一サポート部材７０１には回転軸７０３ａ，７０３ｂがあり、第二サポート部材７０２には前記回転軸７０３ａ，７０３ｂを回転可能に支える軸受部があり、前記回転軸を組込むための組込み隙間が開いていて、ここから組み込む。
【０００４】
第二サポート部材７０２は記録装置側に固定される。第一サポート部材７０１は回転軸７０３ａ，７０３ｂを中心として矢印Ｆ１方向に回転して使用状態位置まで回転すると第一サポート部材側リブ７０４ａ，７０４ｂが第二サポート部材７０２側の突き当てリブ７０５ａ，７０５ｂに当接して回転が止まり、記録シートを支持することが可能となる。
【０００５】
【発明が解決しようとする課題】
上記構成において、開いた第一サポート部材７０１をさらに図６の矢印Ｆ１方向に押し込んだときに、両サポート部材７０１，７０２が破壊しないように構成されている。具体的には、第一サポート部材７０１を図６の矢印Ｆ１方向に無理に押し込むと、リブ７０４ａ，７０４ｂが突き当てリブ７０５ａ，７０５ｂを矢印Ｆ２方向に強く押し、それをテコとして回転軸７０３ａ，７０３ｂは第二サポート部材７０２の軸受部から組込み隙間を介して矢印Ｆ３方向に抜け、第一サポート部材７０１と第二サポート部材７０２は分離する。
【０００６】
しかし、上記構成では無理な力がかかったときに回転部分は破壊しないが、抜けた第一サポート部材７０１を元に戻す作業が必要であり、その作業が煩雑であった。
【０００７】
本発明は上記課題を解決するものであり、その目的は、サポート部材に無理な力がかかってもサポート部材が分離せず、破壊もしない折りたたみ回転部を有するシート支持機構を提供するものである。
【０００８】
【課題を解決するための手段】
上記目的を達成するための本発明に係る代表的な構成は、第一サポート部材と第二サポート部材とが回動可能に組み付けられ、開いた状態でシートを支持可能であり、該シートを支持していないときは回動して折り畳み可能なシート支持機構において、前記第一サポート部材と前記第二サポート部材は一方のサポート部材に設けられた回転軸と、他方のサポート部材に設けられ、前記回転軸を嵌入可能な開口部を有する軸受部とを嵌合することで回動可能に結合され、且つ回動可能なサポート部材を開く方向に所定量回動すると回転規制手段によりそれ以上の回動が規制され、それ以上開く方向へ回動すると前記開口部が狭まる方向に力が加えられるよう構成したことを特徴とする。
【０００９】
【発明の実施の形態】
次に本発明の一実施形態に係るシート支持機構について、これを備えた画像処理装置として記録装置を例示し、図１乃至図５を参照して説明する。
【００１０】
｛記録装置の全体構成｝
まず、記録装置の全体構成について説明する。図３は記録装置の内部斜視説明図であり、図４は記録部の断面説明図である。
【００１１】
図３及び図４において、キャリア２は、記録ヘッド１を着脱自在に保持するもので、フレーム２５に両端部が固定され互いに並行に配置されたガイドシャフト４及びガイドレール７に、記録シート１８の搬送方向と直交し、かつ、記録シート１８の面に平行な方向に摺動自在に支持される。このキャリア２はキャリアモータ６に不図示のギア列によって回転駆動される駆動プーリ３０と、回転自在に支持されたアイドルプーリ１５との間にかけ回されたベルト５の一部位に結合されており、キャリアモータ６を駆動することで、ベルト５が駆動され、キャリア２が上記方向に往復移動する構成になっている。
【００１２】
記録ヘッド１はキャリア２のラッチ部材３０Ｙをアーム３０Ｙａで操作してキャリア２へ押し付け、記録ヘッド１の固定及び記録装置からの電気信号がキャリア側端子部（図示せず）と記録ヘッド側端子部（図示せず）との圧接で結合される。
【００１３】
１６はホームポジションセンサで、キャリア２の通過を検出することによりキャリア２の位置を検出するものである。３はフレキシブルケーブルで、記録ヘッド１に不図示の制御基板から電気信号を伝えるものである。
【００１４】
記録シート１８の搬送は、自動給送部１９によって複数枚セットされた記録シート１８が１枚ずつ分離給送され、さらに搬送ローラ１４によって搬送される。フレーム２５に回転可能に支持された搬送ローラ１４にはギア３１が固定されており、搬送モータ２０によって不図示のギア列で回転駆動される。
【００１５】
搬送ローラ１４にはピンチローラ２１が下方よりピンチローラホルダ２２を介してピンチローラバネ２３によって圧接されており、搬送ローラ１４とピンチローラ２１の間に挟まれた記録シート１８が搬送モータ２０の駆動によって搬送される。搬送される記録シート１８はプラテン９によって支持される。
【００１６】
１１は記録後の記録シート１８を排出するための排出ローラで、アイドルギア列２９により、搬送ローラ１４から駆動力が伝達され、搬送ローラ１４と同期して回転する。排出ローラ１１は排出ローラバネ２４によって上方に付勢されて拍車８と圧接しており、排出ローラ１１との間に記録シート１８を挟み込み搬送する。尚、ここで前記拍車とは記録シートに対する接触面積が小さく、インク吐出によってインク像が記録されたシート面側に接触しても、該インク像を乱すことがない回転体である。
【００１７】
１７はシートセンサで、搬送ローラ１４の直前の記録シート１８の有無を検出する。また、１０は排出センサで、排出ローラ１１近傍の記録シート１８の有無を検出する。
【００１８】
記録ヘッド１は微細な液体吐出口（オリフィス）、液路およびこの液路の一部に設けられたエネルギー作用部と、該作用部に有る液体に作用させる液滴形成エネルギーを発生するエネルギー発生手段とを備えている。
【００１９】
本実施形態ではインクの吐出構成として、記録信号に応じて電気熱変換体に通電し、その熱エネルギーによってインクに生ずる膜沸騰を利用してインクに生ずる気泡の成長、収縮により、インクを吐出口から吐出して記録を行うように構成している。このように、熱エネルギーによって気泡を成長収縮させてインクを吐出させることで、特に応答性に優れた液体の吐出が達成できる。
【００２０】
前記記録ヘッド１の移動により一行記録を行うと、記録シート１８は搬送モータ２０により、図３の記録シート１８上に示した搬送方向の矢印の向きに、一行分搬送され、次行に記録を行う構成になっている。
【００２１】
キャリア２の移動範囲の一端には乾燥から記録ヘッド１の液体吐出口を保護するキャップ１３があり、キャリア１がホームホジションに位置する時、搬送モータ２０によって図示しない動力伝達機構により、キャップ１３を記録ヘッド１へ押し付ける。また、液体吐出口の清掃のためのインク吸引動作もここで行う。記録ヘッド１の液体吐出口のある面を清掃するためのブレード１２がキャップ１３の側に有り、キャリア２の動作によって図示しないリンク機構により液体吐出口面をしごく。その動作により吐出口面のノズルの近傍に付着したゴミなどの異物を取り除き常に正常な記録を行わせるものである（ワイピング動作）。
【００２２】
図５は本実施形態に係る記録装置の外観説明図である。装置本体４１の内部に図３に示した記録機構が収納されている。４２は記録シート１８の排出口である。４３ａ，４３ｂは第一排出サポート部材及び第二排出サポート部材で、排出された記録シートを支持する。
【００２３】
４４はカバーで、この部分を開けて記録ヘッドを着脱する。４５は装置をオン、オフする電源スイッチであり、４６は装置の状況を表示する表示部、４７は各種操作キーを集めたキーカバーであり、これらは操作部４８に配置されている。
【００２４】
また、記録装置本体側面には外部記憶装置の挿入口４９ａ、外部インターフェイスのコネクタ挿入口４９ｂが設けられている。
【００２５】
記録シート１８は第一給送サポート部材５１と第二給送サポート部材５２からなるシート支持機構によって支持されるとともにガイドされて自動給送部１９へ導かれる。第二給送サポート部材５２は、記録装置本体４１に固定される。
【００２６】
記録装置を使用していないときは、図５（ｂ）に示すように、第一排出サポート部材４３ａは第二排出サポート部材４３ｂ内に収納され、カバー４４へ折りたたみ収納される。また第一給送サポート部材５１も折りたたみ、コンパクトになると共に自動給送部１９の挿入口１９ａの上部を覆い、ごみの落下を防ぐように構成されている。
【００２７】
｛シート支持機構｝
次に前記シート支持機構である第一給送サポート部材５１、第二給送サポート部材５２の連結機構について、図１及び図２を参照して説明する。尚、図１はシート支持機構に係る給送サポート部材の連結構成説明図であり、図２は軸受部分の拡大説明図である。
【００２８】
第一給送サポート部材５１には回転軸５３ａ，５３ｂがあり、その近くには圧迫リブ５４ａ，５４ｂが設けられている。この回転軸５３ａ，５３ｂ及び圧迫リブ５４ａ，５４ｂは、補強リブ５５ａ，５５ｂと第一給送サポート部材５１の外側リブとの間に設けられている。
【００２９】
一方、第二給送サポート部材５２には前記回転軸５３ａ，５３ｂに嵌合し、回転可能に支える軸受部としての軸受５６（５６ａ１，５６ａ２，５６ｂ１，５６ｂ２）がある。また、第二給送サポート部材５２はバネ性を持った材質で作られており、弾性変形可能となっている。
【００３０】
図２（ａ）で軸受５６（５６ａ１，５６ａ２，５６ｂ１，５６ｂ２）は一部に開口部５８がある。開口部５８の幅は回転軸５３（５３ａ，５３ｂ）よりも若干小さくなっていて、この部分に軸受５６を押し当てると、第二給送サポート部材５２が材料のバネ性で撓んで開口部５８が広がり、軸受５６に組み込むことができる。
【００３１】
第一給送サポート部材５１は、図２の矢印Ｆ１方向に回転軸５３を中心として回転し、回転規制手段を構成する第一給送サポート部材５１側の圧迫リブ５４（５４ａ，５４ｂ）が第二給送サポート部材５２側の開閉リブ５７（５７ａ，５７ｂ）に当接して回転は規制され、使用状態となる。
【００３２】
前記使用状態から、さらに第一給送サポート部材５１を回転させようとすると、図２（ｂ）に示すように、圧迫リブ５４は開閉リブ５７を矢印Ｆ４方向へ押す。このとき、開閉リブ５７は軸受５６と共有部品である第二給送サポート部材５２に形成されているため、開閉リブ５７が矢印Ｆ４方向に撓むと開口部５８も開口寸法が狭くなる方向に撓む。また軸受５６の寸法も小さくなる方向に撓む。
【００３３】
従って、前記状態で回転軸５３は開口部５８から出てしまうことはなく、第一給送サポート部材５１と第二給送サポート部材５２は回転部分がない一体部品のようになり、強度は十分確保できる。
【００３４】
さらに矢印Ｆ１方向に回転させようとすると、第二給送サポート部材５２と固定された、装置本体４１自体が倒れ、それ以上力のかかることはない。
【００３５】
そして、前記矢印Ｆ１方向への回転力がなくなると、第二給送サポート部材５２はバネ性を持った材質なので軸受５６は元の寸法に戻り、回転軸５３は抵抗なく回転することが可能となる。
【００３６】
なお、前述した機構の適用例として本実施形態では給送サポート部材の場合について説明したが、排出サポート部材やその他の回転機構を持つ部材に適用可能である。
【００３７】
また、前述した実施形態ではシート支持機構を記録装置に用いた例を示したが、複数枚の原稿シートを支持し、これを順次送りだして原稿情報を読み取るスキャナ等の読取装置等の他の画像処理装置であっても前述したシート支持機構は好適に用いることが可能である。
【００３８】
〔実施態様〕
次に本発明を適用し得る好ましい実施態様を以下に列挙する。
【００３９】
［実施態様１］  第一サポート部材と第二サポート部材とが回動可能に組み付けられ、開いた状態でシートを支持可能であり、該シートを支持していないときは回動して折り畳み可能なシート支持機構において、
前記第一サポート部材と前記第二サポート部材は一方のサポート部材に設けられた回転軸と、他方のサポート部材に設けられ、前記回転軸を嵌入可能な開口部を有する軸受部とを嵌合することで回動可能に結合され、且つ回動可能なサポート部材を開く方向に所定量回動すると回転規制手段によりそれ以上の回動が規制され、それ以上開く方向へ回動すると前記開口部が狭まる方向に力が加えられるよう構成したことを特徴とするシート支持機構。
【００４０】
［実施態様２］  前記第一サポート部材に前記回転軸が設けられ、装置本体に取り付けられた前記第二サポート部材に弾性変形可能な前記軸受部が設けられ、該軸受部に形成された前記開口部の開口寸法は前記回転軸の直径よりも僅かに小さく、該開口部を撓ませることで前記回転軸を前記軸受部に嵌合することを特徴とする実施態様１記載のシート支持機構。
【００４１】
［実施態様３］  前記回転規制手段は、前記第二サポート部材の軸受部と一体的に形成された回転規制部に前記第一サポート部材に形成された突当部が当接して第一サポート部材の回動が規制され、前記当接状態で前記第一サポート部材を開放する方向へ回動すると前記回転規制部が撓んで前記開口部が狭まることを特徴とする実施態様２記載のシート支持機構。
【００４２】
［実施態様４］  シートを搬送して画像を処理する画像処理装置において、
実施態様１乃至実施態様３のいずれかに記載のシート支持機構を有することを特徴とする画像処理装置。
【００４３】
［実施態様５］  前記画像処理装置は、シートを搬送して記録を行う記録装置であることを特徴とする実施態様４記載の画像処理装置。
【００４４】
【発明の効果】
以上説明してきたように、本発明は折りたたみ方式のサポート部材を一定以上回動しようとしたときに、軸受部の開口部が狭まるようにすることで、サポート部材に無理な力がかかってもサポート部材が分離せず、且つ破壊もしないようにすることが可能となった。
【図面の簡単な説明】
【図１】シート支持機構の構成説明図である。
【図２】軸受部分の拡大説明図である。
【図３】記録装置の内部斜視説明図である。
【図４】記録部の断面説明図である。
【図５】本実施形態に係る記録装置の外観説明図である。
【図６】従来技術に係るシート支持機構の説明図である。
【符号の説明】
１    …記録ヘッド
２    …キャリア
３    …フレキシブルケーブル
４    …ガイドシャフト
５    …ベルト
６    …キャリアモータ
７    …ガイドレール
８    …拍車
９    …プラテン
１０    …排出センサ
１１    …排出ローラ
１２    …ブレード
１３    …キャップ
１４    …搬送ローラ
１５    …アイドルプーリ
１６    …ホームポジションセンサ
１７    …シートセンサ
１８    …記録シート
１９    …自動給送部
２０    …搬送モータ
２１    …ピンチローラ
２２    …ピンチローラホルダ
２３    …ピンチローラバネ
２４    …排出ローラバネ
２５    …フレーム
２９    …アイドルギア列
３０    …駆動プーリ
３０Ｙ  …ラッチ部材
３０Ｙａ  …アーム
３１    …ギア
４１    …装置本体
４２    …排出口
４３ａ  …第一排出サポート部材
４３ｂ  …第二排出サポート部材
４４    …カバー
４５    …電源スイッチ
４６    …表示部
４７    …キーカバー
４８    …操作部
４９ａ  …挿入口
４９ｂ  …コネクタ挿入口
５１    …第一給送サポート部材
５２    …第二給送サポート部材
５３    …回転軸
５４    …圧迫リブ
５５ａ，５５ｂ  …補強リブ
５６    …軸受
５７    …開閉リブ
５８    …開口部
【図１】
2004230622.tif 000003
【図２】
2004230622.tif 000004
【図３】
2004230622.tif 000005
【図４】
2004230622.tif 000006
【図５】
2004230622.tif 000007
【図６】
2004230622.tif 000008